(57)【要約】      （修正有）【課題】二重編織地技術とインクジェット捺染技術により布帛表面に意匠性の優れた凹凸模様と見る角度により柄や字体が変化する外観を形成させた意匠性に優れた装飾布帛を提供する。【解決手段】表地３と裏地２が重なり合った編織地であって、表地３は裏地２面の一部が視認可能な複数の空隙５を有し、裏地２面の少なくとも表地３の空隙５から視認可能な面には任意に着色された柄もしくは文字列が配置されている。【選択図】図１
0003217916.tif 000002
【実用新案登録請求の範囲】
【請求項１】
表地と裏地が重なり合った編織地であって、表地は裏地面の一部が視認可能な複数の空隙を有し、前記裏地面の少なくとも表地の空隙から視認可能な面には任意に着色された柄もしくは文字列が配置されていることを特徴とする装飾布帛。
【請求項２】
前記裏地面に着色された文字列もしくは柄が装飾布帛の表側からインクジェット捺染により着色されたことを特徴とする請求項１記載の装飾布帛。
【請求項３】
前記表地と裏地の少なくとも一部が連結組織で接合されていることを特徴とする請求項１または２記載の装飾布帛。
【請求項４】
前記表地の空隙が線状であることを特徴とする請求項１〜３のいずれか１項記載の装飾布帛。
【請求項５】
前記表地の空隙が略多角形であることを特徴とする請求項１〜３のいずれか１項記載の装飾布帛。
【請求項６】
前記裏地がメッシュ組織であることを特徴とする請求項１〜５のいずれか１項記載の装飾布帛。
【請求項７】
前記装飾布帛の少なくとも一部に弾性糸を含むことを特徴とする請求項１〜６のいずれか１項記載の装飾布帛。
【請求項８】
前記表地が黒色または濃色であることを特徴とする請求項１〜７のいずれか１項記載の装飾布帛。
【請求項９】
前記裏地面に配置された柄もしくは文字列の色と前記表地が同色、または同系色であることを特徴とする請求項１〜７のいずれか１項記載の装飾布帛。
【請求項１０】
請求項１〜９項記載の装飾布帛はダブルラッセル機により表地と裏地が連結糸により一体化された経編地であることを特徴とする装飾布帛。
【考案の詳細な説明】
【技術分野】
【０００１】
本考案は、装飾布帛の改良、さらに詳しくは表面模様と見る角度により変化する外観を有した意匠性に優れた装飾布帛に関するものである。
【背景技術】
【０００２】
近年、消費者のニーズが多様化傾向にある状況において、これまでにない機能性や意匠性を有した衣服や身装品用の布帛の開発および供給が急がれている。
【０００３】
その様な状況下において、特開２０１７−０１４６７６号では、ダルラッセル地の表面に凸状部形成し、その凸部側面の片側面と反対側面に異なる色を配置した編地が提案され、観察者が編地を見る際の位置に応じて視認される色が変化するという色彩効果を発揮させる技術が提案されている。
【０００４】
しかしながら、同技術は凸状の側面を形成する編糸の色を違えることによる色彩変化を発揮するものであるから、複雑な柄や字体などによる意匠効果と組み合わせることが難しく、より高度な付加価値を持たせるには限界があった。
【先行技術文献】
【特許文献】
【０００５】
【特許文献１】特開２０１７−０１４６７６号公報
【考案の概要】
【考案が解決しようとする課題】
【０００６】
本考案は、従来の装飾布帛の意匠性付与に上記のような限界があったことに鑑みて為されたものであり、その目的とするところは、二重編織地技術とインクジェット捺染技術により布帛表面に意匠性の優れた凹凸模様と見る角度により柄や字体が変化する外観を形成させた意匠性に優れた装飾布帛を提供することにある。
【課題を解決するための手段】
【０００７】
本考案者が上記技術的課題を解決するために採用した手段を、添付図面を参照して説明すれば、次のとおりである。
【０００８】
即ち、本考案は、表地と裏地が重なり合った編織地であって、表地は裏地面の一部が視認可能な複数の空隙を有し、前記裏地面の少なくとも表地の空隙から視認可能な面には任意に着色された柄もしくは文字列が配置されている装飾布帛を完成させた。
【０００９】
また、本考案は、前記裏地面に着色された文字列もしくは柄が装飾布帛の表側からインクジェット捺染により着色する技術的手段を採用することができる。
【００１０】
更にまた、前記表地と裏地の少なくとも一部が連結組織で接合されているという技術的手段を採用することができる。
【００１１】
更にまた、  前記表地の空隙が線状であるという技術的手段を採用することができる。
【００１２】
更にまた、前記表地の空隙が略多角形であるという技術的手段を採用することができる。
【００１３】
更にまた、前記裏地がメッシュ組織であるという技術的手段を採用することができる。
【００１４】
更にまた、前記装飾布帛の少なくとも一部に弾性糸を含むという技術的手段を採用することができる。
【００１５】
更にまた、前記表地が黒色または濃色であるという技術的手段を採用することができる。
【００１６】
更にまた、裏地面に配置された柄もしくは文字列の色と前記表地が同色、または同系色であるという技術的手段を採用することができる。                 
【００１７】
更にまた、本考案の装飾布帛はダブルラッセル機により表地と裏地が連結糸により一体化された経編地であるという技術的手段を採用することができる。
【考案の効果】
【００１８】
本考案にあっては、表地と裏地が重なり合った編織地であって、表地は裏地面の一部が視認可能な複数の空隙を有し、前記裏地面の少なくとも表地の空隙から視認可能な面には任意に着色された柄もしくは文字列が配置されていることにより、編織地表面において、見る角度により任意に着色された柄もしくは文字列がホログラム風の動きと、見え隠れするという意匠性に優れた装飾布帛である。
【００１９】
また、裏地面に着色された文字列もしくは柄が装飾布帛の表側からインクジェット捺染により着色されたものであるから、特に熟練を要せずに、複雑な文字列や絵柄を精密に配置させた装飾布帛を得ることが出来る。
【００２０】
また、装飾布帛の少なくとも一部に弾性糸を含むことにより伸縮性が得られ、その伸縮により、文字列や柄が変化するという意匠効果も得られる。
【００２１】
また、装飾布帛生地をダルラッセル機により表地と裏地が連結糸により一体化された経編地とすることで高い生産性で得られ、低コストで市場に供給することが出来る。
【図面の簡単な説明】
【００２２】
【図１】本考案の実施形態の装飾布帛の構造を示す斜視図。
【図２】本考案の実施形態の装飾布帛を表わす正面概略図である。
【図３】本考案の別の実施形態の装飾布帛を表わす正面概略図である。
【図４】本考案の別の実施形態の装飾布帛を表わす正面概略図である。
【図５】本考案の実施形態の装飾布帛の組織図である。
【考案を実施するための形態】
【００２３】
本考案を実施するための形態を、具体的に図示した図面に基づいて、更に詳細に説明すると、次のとおりである。
【００２４】
本考案の実施形態を図１から図４に基づいて説明する。図１はダブルラッセル経編機による本考案の装飾布帛１の編構造を示す斜視図で、符号２は裏地であって、その上面に略６角形をしたメッシュ状の表地３が重なり、表地３と裏地２は連結糸４で一体化されている。
【００２５】
また、符号５は表地３のメッシュの空隙部で、上面から見ると表地３の空隙部５から裏地２面が見え、符号６で示した塗り潰しは空隙部５から見える裏地２面に、任意に着色された柄もしくは文字列が配置されている箇所を示したものである。
【００２６】
図１では、ダブルラッセル経編地での実施態様を示したが、経編地に限定されることなく、織物であっても構わず、また、表地と裏地が連結糸で一体化された二重編織物構造に限定されず、表地と裏地が接着により一体化された布帛も含まれる。
【００２７】
なお、表地と裏地が連結糸で一体化された二重編織物構造の場合には十分な厚みがあって、本考案の目的である見る角度により裏地面に配置された字体や柄が見合隠れする意匠効果が発揮され易いが、接着により一体化の場合は連結糸４の長さ分の厚みが得られず、薄くなりがちであるため、表地の厚みを１ｍｍとすることが好ましい。
【００２８】
また、図１では、表地３を６角形のメッシュ地の実施態様を示したが、その他の多角形であっても良く、線状、あるいは格子状であっても構わない。なかでもダブルラッセル経編地であると、種々のメッシュ地が容易に得られる点から好ましい布帛である。
【００２９】
表地３と裏地２が接着のケースでは、裏地２の全面に文字列や柄を着色しておいて、その上からメッシュ状の表地３を接着させれば、メッシュの糸部分だけが隠された状態で、表地３の空隙部５から裏地２の色柄を目視することが出来る。
【００３０】
一方、連結糸４で一体化された布帛においては、インクジェット捺染技術を用いれば、表地３の空隙部が占める裏地２面にだけを選択的に文字列や絵柄を繊細に捺染することが出来る。
【００３１】
また、表地３はメッシュ状であることが好ましいが、裏地２もメッシュ地を用いることが出来、そうした構造であっても見る方向によって裏地２の着色が見え隠れする意匠効果が得られる。
【００３２】
本考案の装飾布帛１の少なくとも一部に弾性糸を含ませることが出来、そうすることによって装飾布帛１に伸縮性が付与され、伸縮に伴う文字列や柄の変化が見られ、一層の意匠性が増大する効果がある。
【００３３】
表地３の色は、裏地２の着色の反対色とすることで裏地２に描かれた文字列や柄が浮かび上がり易い点から好ましく、なかでも図２、図３に示すように表地３の色を黒、または濃色とすることで、裏地２に描かれた文字列や柄が鮮明に浮かび上がり易いので好ましい態様である。
【００３４】
また、図４に示すように裏地面に配置された柄もしくは文字列の色と前記表地が同色、または同系色とすることもでき、そうすることで図２に示す態様とは異なった見え方を呈した意匠効果を発揮させることが出来る。なお、文字列の背景色は柄もしくは文字列の色に対して反対色である柄や文字列が鮮明に浮かび上がることからが好ましいが、僅かな色違いであっても構わない。
【実施例】
【００３５】
２４ゲージのダブルラッセル経編機を用い、表地の編糸と連結糸に黒色先染めのポリエステル１６７ｄｔｅｘの加工糸を用い、裏地の編糸に白色先染めのポリエステル１６７ｄｔｅｘの加工糸を用いて、図５に示すダブルラッセル組織により表地３面に、編立て方向に複数の凸状が並行する編地を得た。
【００３６】
次いで、得られた編地の表側から見える裏地２面にのみ（凸部と凸部の間の凹部）にインクジェット捺染により文字列を捺染し、本考案の装飾布帛１を得た。
【００３７】
得られた本考案の装飾布帛１の正面から見て、装飾布帛１を凸状線に対して垂直方向に軽く往復移動させると、目視できる文字列がホログラム風に揺れ動くような変化が観察され、また視線を一方向にずらしていくことで文字列が徐々に変化して、最終的には消えて真っ黒な状態に変化するという意匠効果が確認できた。
【符号の説明】
【００３８】
１：本考案の装飾布帛
２：裏地
３：表地
４：連結糸
５：上地の空隙部
６：裏地面の捺染部
【図１】
0003217916.tif 000003
【図２】
0003217916.tif 000004
【図３】
0003217916.tif 000005
【図４】
0003217916.tif 000006
【図５】
0003217916.tif 000007